【手続補正書】
【提出日】平成19年2月19日(2007.2.19)
【手続補正１】
【補正対象書類名】特許請求の範囲
【補正対象項目名】請求項１３
【補正方法】変更
【補正の内容】
【請求項１３】
前記カードホルダキャリッジをロックするための前方移動は、それを開錠するための前方移動よりも少ないことを特徴とする前記先行する請求項のいずれか１項によるコネクタ。
【手続補正２】
【補正対象書類名】明細書
【補正対象項目名】０２０９
【補正方法】変更
【補正の内容】
【０２０９】
【図１】メモリスティックデュオカードの底部左前方第３象限斜視図。
【図２】この発明によるコネクタを例証する平面左後方第３象限斜視図であって、前記コネクタにおけるカードの動作位置において、ロックされたポジションと呼ばれるものにカードとともに示される。
【図３】図２の底面図。
【図４】他の視角で図２および３と同様な図。
【図５】同じく他の視角で図２および３と同様な図。
【図６】カードなしの図２と同様の図。
【図７】保護カバーなしの図２と同様の図。
【図８】図２と同様の図であって、その中にカードホルダキャリッジおよびカードが、プッシュインポジションと呼ばれるものにあって、すなわちロック解除の目的のための挿入の間、またはロック解除の間の最大の前方移動後である。
【図９】前記カードもカバーもなしの前図と同様の図。
【図１０】他の視角で前図と同様の図。
【図１１】図２と同様の図であって、キャリッジの高い長手方向のカード保持位置にあるゲート形成保持バーとともに前記カードおよびキャリッジが排出された後部長手方向の位置に示される。
【図１２】図１０と同様の図であって、その中に前記キャリッジが排出された位置にある。
【図１３】図２と同様の図であって、その中に前記カードおよび前記キャリッジが、前記保持された低い、または低くした位置におけるゲート形成の保持バーとともに排出された後部長手方向位置に示されている。
【図１４】図２と同様の図であって、その中に前記カードおよび前記キャリッジが、排出された後部長手方向位置、前記低くした位置におけるバーおよびキャリッジ外部の取出された位置におけるカードに示されている。
【図１５】前記保護カバーなしの図８と同様の図。
【図１６】前記保護カバーなしの図１１と同様の図。
【図１７】前記保護カバーなしの図１４と同様の図。
【図１８】前記保護カバーなしの図１４と同様の図。
【図１９】図２の長手方向断面図。
【図２０】図２の横断面図。
【図２１】図８の長手方向断面図。
【図２２】図１１の長手方向断面図。
【図２３】図１３の長手方向断面図。
【図２４】図１４の長手方向断面図。
【図２５】後部長手方向端でゲート形成のバーを支承するカードスライダなしの図９と同様の図。
【図２６】前記絶縁体本体の図２５と同様の図。
【図２７】図２６の絶縁体の底面図。
【図２８】そのゲート形成の後部バーとともに図９のスライドするスライダの図であって、このバーは、それが弾性的に復帰されるその高い休止位置に示されている。
【図２９】前記スライドの図２８と同様の図。
【図３０】前記ゲート形成のバーの後部斜視図。
【図３１】図３０の底面図。
【図３２】図９の排出摺動の図。
【図３３】他の視角の図３３と同様の図。
【図３４】図３３と同様の図であって、カード取出しスプリングと協働するキャリッジの第１の異なる実施例を例証する。
【図３５】図７と同様の図であって、カード取出しスプリングと協働するキャリッジの第１の異なる実施例を例証する。
【図３６】図１８と同様の図であって、カード取出しスプリングと協働するキャリッジの第１の異なる実施例を例証する。
【図３７】図３３と同様の図であって、カード取出しスプリングと協働するキャリッジの第１の異なる実施例を例証する。
【図３８】図７と同様の図であって、カード取出しスプリングと協働するキャリッジの第１の異なる実施例を例証する。
【図３９】図１８と同様の図であって、カード取出しスプリングと協働するキャリッジの第１の異なる実施例を例証する。
【図４０】ＭＩＣＲＯＳＩＭカードの底部左後部第３象限斜視図。
【図４１】図４０に示されるようなＭＩＣＲＯＳＩＭカード用のこの発明によるコネクタの図２と同様の図。
【図４２】前記カバーなしの図４１のコネクタの図。
【図４３】プッシュインポジションにおけるキャリッジを有する図４２と同様の図。
【図４４】前記排出された後部位置におけるキャリッジを有するコネクタを示す。
【図４５】後部位置におけるキャリッジと、前記保持された低くした位置におけるゲートとを有するコネクタを示す。
【図４６】前記スライダから取出された間のＭＩＣＲＯＳＩＭカードを示す。
【図４７】ＭＩＣＲＯＳＩＭカードなしの図４２と同様の図。
【図４８】他の視角の図４７と同様の図。
【図４９】前記スライダおよびゲートなしの図４７と同様の図。
【図５０】前記コネクタの絶縁体の斜視図。
【図５１】前記スライダの図２８と同様の図。
【図５２】前記スライダの図２９と同様の図。
【図５３】ゲート形成のカード保持バーの上面斜視図。
【図５４】ゲート形成のカード保持バーの底面斜視図。
【図５５】前記ＭＩＣＲＯＳＩＭカードを排出するためのスライドの斜視図。
【図５６】前記ＭＩＣＲＯＳＩＭカードを排出するためのスライドの斜視図。
【図５７】１.４ｍｍ厚のＳＤカードの上面左後部第３象限斜視図。
【図５８】図２と同様の図であって、図５７に示されるＳＤカードのためのこの発明によるコネクタの第３実施例を示している。
【図５９】他の視角の前記コネクタの図５８と同様の図。
【図６０】図５８の底面図。
【図６１】スライドと、排出された後部位置のスライダとを有する図５８と同様の図。
【図６２】カードなしの図６１と同様の図。
【図６３】前記カードが取出された低くした位置におけるゲートを有するスライダから取出される過程にある図６１と同様の図。
【図６４】前記カードが取出されたより低い位置におけるゲートを有するスライダから取出される過程にある図６２と同様の図。
【図６５】前記カバーなしの図５８と同様の図。
【図６６】前記カバーもカードもなしの図５８と同様の図。
【図６７】他の視角の図６６と同様の図。
【図６８】他の視角であって前記カバーなしの図６４と同様の図。
【図６９】前記カード、ロック位置におけるキャリッジを有する前記コネクタの長手方向断面図。
【図７０】プッシュイン前方位置における、前図と同様の図。
【図７１】排出された後部位置プッシュイン前方位置における前記スライダおよびカードを有する同様の図。
【図７２】前記より低くしたゲートおよびスライダから取出される過程のカードを有する同様の長手方向断面図。
【図７３】前記カードなしの図７２と同様の図。
【図７４】前記コネクタの絶縁体の斜視図。
【図７５】前記コネクタの絶縁体の斜視図。
【図７６】前記ゲートなしの前記カード排出スライダの上面左後部第３象限斜視図。
【図７７】図７６のスライダと協働する前記ゲートの上面左後部第３象限斜視図。
【図７８】他の視角の図７７と同様の図。
【図７９】図７７に例証された前記ゲートの底面斜視図。
【図８０】前記第３実施例によるコネクタを組込む無線電話の概略斜視図であって、後者（第３実施例）は、前記スライダの排出された位置において、前記カードなしで示されている。
【図８１】前記コネクタが前記スライダの閉じられ、かつロックされた位置に示されている図８０のより拡大の詳細である。
【図８２】大きい厚さ（２.１ｍｍ）のＳＤカード用に適している第４実施例のこの発明によるコネクタの図２と同様の図。
【図８３】図８２の底面図。
【図８４】前記カバーなしの図８２と同様の図。
【図８５】他の視角の図８４と同様の図。
【図８６】前記排出された後部位置における前記キャリッジを伴う図８５と同様の図。
【図８７】低くした位置における、この位置にブロックされたゲートを伴う図８６と同様の図。
【図８８】前記カードを伴う図８７と同様の上面図。
【図８９】前記コネクタの前記絶縁体の上面図。
【図９０】図８９の前記絶縁体の上面斜視図。
【図９１】排出された後部位置におけるスライダと引込まれた低い位置でかつ一時的にブロックされた前記ゲートとを伴う長手方向の断面図。
【図９２】取出される過程のカードを伴う前図と同様の図。
【図９３】そのゲートを有する２つの部分の前記スライダの斜視図。
【図９４】前記ゲートなしの前記スライダを例証する前図と同様の図。
【図９５】前記スライダの本体の上方の構成部分の斜視図。
【図９６】前記スライダの下方の構成部分の斜視図。
【図９７】前記ゲートの斜視図。
【図９８】前記ゲートの斜視図。
【図９９】前記排出スライドの斜視図。
【図１００】ＭＩＣＲＯＳＩＭカード用のこの発明によるコネクタの他の実施例の上面図であって、その接点ブレードは、ソルダレスタイプの出力端子を有する。
【図１０１】図１００のＡ−Ａ線の長手方向断面図。
【図１０２】図１００における矢印Ｆ１０２の方向に沿って見える端面図。
【図１０３】図４９における矢印Ｆ１０３の方向に沿って見える詳細図であって、非対称を得るためのハート形のカムの設計およびロッキングしないで安全なオーバートラベルを例証している。